(57)【特許請求の範囲】
【請求項１】
光学パラメータを測定する調整回路であって、光感知モジュールと、増幅モジュールと、Ａ／Ｄ変換モジュールと、制御モジュールと、信号生成モジュールと、調節モジュールと、を含み、
前記光感知モジュールは、光信号を検出し、且つ検出した前記光信号を電圧信号に変換することに用いられ、
前記増幅モジュールは、前記電圧信号を増幅することに用いられ、
前記Ａ／Ｄ変換モジュールは、増幅後の前記電圧信号をデジタル信号に変換することに用いられ、
前記制御モジュールは、前記デジタル信号を分析することで、分析結果を生成することに用いられ、
前記信号生成モジュールは、分析結果に基いて、対応する周波数の矩形波信号を出力することに用いられ、
前記調節モジュールは、調節電気抵抗と、調節コンデンサと、制御スイッチと、を含み、前記調節電気抵抗の第１端は接地され、前記調節電気抵抗の第２端は前記増幅モジュールの第２入力端に接続され、前記調節コンデンサの第１端は前記調節電気抵抗の第２端に接続され、前記制御スイッチの第１端は前記調節コンデンサの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続されて、前記周波数の矩形波信号に基いて、前記制御スイッチのオン又はオフを制御することで前記増幅モジュールの増幅倍率を調整することに用いられ、
前記制御モジュールは前記Ａ／Ｄ変換モジュールが伝送した前記デジタル信号に対して分析を行い、現在の増幅倍率が最適な倍率であるか否かを判断し、前記現在の増幅倍率が最適な倍率ではないと判断した場合、前記信号生成モジュールを制御して対応する周波数の矩形波信号を生成させ、それにより前記調節モジュールを制御して前記周波数の矩形波信号に基いて、増幅モジュールの増幅倍率を調整しており、
増幅モジュールの増幅倍率を調整した後に、前記制御モジュールは、調整後の増幅倍率が最適な倍率であるか否かを更に判断し、調整後の増幅倍率が最適な倍率ではないと判断した場合、前記信号生成モジュールを更に制御して対応する周波数の矩形波信号を出力させ、それにより前記調節モジュールを制御して、前記周波数の矩形波信号に基いて、増幅モジュールの増幅倍率を調整しており、
前記制御モジュールが現在の増幅倍率が最適な倍率であると判断するまで、上記のステップを繰り返し実行して、出力することを特徴とする光学パラメータを測定する調整回路。
【請求項２】
前記増幅モジュールの第１入力端は前記光感知モジュールが接続され、
前記調節モジュールの第１端は接地され、前記調節モジュールの第２端は前記増幅モジュールの第２入力端に接続され、
前記Ａ／Ｄ変換モジュールの第１端は前記増幅モジュールの出力端に接続され、且つ前記Ａ／Ｄ変換モジュールの第１端は前記調節モジュールの第３端に更に接続され、
前記制御モジュールは前記Ａ／Ｄ変換モジュールの第２端に接続され、
前記信号生成モジュールの第１端は前記制御モジュールに接続され、前記信号生成モジュールの第２端は前記調節モジュールの第４端に接続されることを特徴とする請求項１に記載の光学パラメータを測定する調整回路。
【請求項３】
前記信号生成モジュールは対応する周波数の矩形波信号を出力して、前記制御スイッチのオン又はオフを制御し、前記周波数の矩形波信号に基いて調節コンデンサのインピーダンス値を調整し、前記インピーダンス値と、前記調節電気抵抗の値と、に基いて、前記増幅モジュールの増幅倍率を調整することを特徴とする請求項１に記載の光学パラメータを測定する調整回路。
【請求項４】
前記制御モジュールは前記Ａ／Ｄ変換モジュールが伝送した前記デジタル信号に対して分析を行い、現在の増幅倍率が最適な倍率であるか否かを判断し、前記現在の増幅倍率が最適な倍率ではないと判断した場合、前記信号生成モジュールを制御して対応する周波数の矩形波信号を出力させることで、前記制御スイッチを制御してオンにし、それにより前記周波数の矩形波信号に基いて、前記調節コンデンサのインピーダンス値を調整しており、
前記インピーダンス値と、調節電気抵抗の値と、に基いて、前記増幅モジュールの増幅倍率を調整し、増幅モジュールの増幅倍率を調整した後に、前記制御モジュールは、調整後の増幅倍率が最適な倍率であるか否かを更に判断し、調整後の増幅倍率が最適な倍率ではないと判断した場合、前記信号生成モジュールを更に制御して、対応する周波数の矩形波信号を出力させ、それにより前記制御スイッチを制御してオンにしており、
前記周波数の矩形波信号に基いて調節コンデンサのインピーダンス値を調整しており、
前記インピーダンス値と、調節電気抵抗の値と、に基いて、前記増幅モジュールの増幅倍率を調整しており、
前記制御モジュールが現在の増幅倍率が最適な倍率であると判断するまでに、前記ステップを繰り返し実行して、出力し、且つ前記信号生成モジュールを制御して、対応する周波数の矩形波信号を出力させ、それにより前記制御スイッチを制御してオフにすることを特徴とする請求項３に記載の光学パラメータを測定する調整回路。
【請求項５】
光学パラメータを測定する調整回路であって、光感知モジュールと、増幅モジュールと、Ａ／Ｄ変換モジュールと、制御モジュールと、信号生成モジュールと、調節モジュールと、を含み、
前記光感知モジュールは、光信号を検出し、且つ検出した前記光信号を電圧信号に変換することに用いられ、
前記増幅モジュールは、前記電圧信号を増幅することに用いられ、
前記Ａ／Ｄ変換モジュールは、増幅後の前記電圧信号をデジタル信号に変換することに用いられ、
前記制御モジュールは、前記デジタル信号を分析することで、分析結果を生成することに用いられ、
前記信号生成モジュールは、分析結果に基いて、対応する周波数の矩形波信号を出力することに用いられ、
前記調節モジュールは、調節電気抵抗と、調節インダクタと、制御スイッチと、を含み、前記調節電気抵抗の第１端は接地され、前記調節電気抵抗の第２端は増幅器の第２入力端に接続され、前記調節インダクタの第１端は前記調節電気抵抗の第２端に接続され、前記制御スイッチの第１端は前記調節インダクタの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続されて、前記周波数の矩形波信号に基いて、前記制御スイッチのオン又はオフを制御することで前記増幅モジュールの増幅倍率を調整することに用いられ、
前記制御モジュールは前記Ａ／Ｄ変換モジュールが伝送した前記デジタル信号に対して分析を行い、現在の増幅倍率が最適な倍率であるか否かを判断し、前記現在の増幅倍率が最適な倍率ではないと判断した場合、前記信号生成モジュールを制御して対応する周波数の矩形波信号を生成させ、それにより前記調節モジュールを制御して前記周波数の矩形波信号に基いて、増幅モジュールの増幅倍率を調整しており、
増幅モジュールの増幅倍率を調整した後に、前記制御モジュールは、調整後の増幅倍率が最適な倍率であるか否かを更に判断し、調整後の増幅倍率が最適な倍率ではないと判断した場合、前記信号生成モジュールを更に制御して対応する周波数の矩形波信号を出力させ、それにより前記調節モジュールを制御して、前記周波数の矩形波信号に基いて、増幅モジュールの増幅倍率を調整しており、
前記制御モジュールが現在の増幅倍率が最適な倍率であると判断するまで、上記のステップを繰り返し実行して、出力することを特徴とする光学パラメータを測定する調整回路。
【請求項６】
前記信号生成モジュールは対応する周波数の矩形波信号を出力して、前記制御スイッチのオン又はオフを制御し、前記周波数の矩形波信号に基いて、前記調節インダクタのインピーダンス値を調整し、前記インピーダンス値と、前記調節電気抵抗の値と、に基いて、前記増幅モジュールの増幅倍率を調整することを特徴とする請求項５に記載の光学パラメータを測定する調整回路。
【請求項７】
前記制御モジュールは前記Ａ／Ｄ変換モジュールが伝送した前記デジタル信号に対して分析を行い、現在の増幅倍率が最適な倍率であるか否かを判断し、前記現在の増幅倍率が最適な倍率ではないと判断した場合、前記信号生成モジュールを制御して、対応する周波数の矩形波信号を出力させ、それにより前記制御スイッチを制御してオンにしており、
前記周波数の矩形波信号に基いて、前記調節インダクタのインピーダンス値を調整しており、
前記インピーダンス値と、調節電気抵抗の値と、に基いて、前記増幅モジュールの増幅倍率を調整しており、
増幅モジュールの増幅倍率を調整した後に、前記制御モジュールは、調整後の増幅倍率が最適な倍率であるか否かを更に判断し、調整後の増幅倍率が最適な倍率ではないと判断した場合、前記信号生成モジュールを更に制御して、対応する周波数の矩形波信号を出力させ、それにより前記制御スイッチを制御してオンにしており、
前記周波数の矩形波信号に基いて調節インダクタのインピーダンス値を調整しており、
前記インピーダンス値と、調節電気抵抗の値と、に基いて、前記増幅モジュールの増幅倍率を調整しており、
前記制御モジュールが現在の増幅倍率が最適な倍率であると判断するまでに、前記ステップを繰り返し実行して、出力し、且つ前記信号生成モジュールを制御して、対応する周波数の矩形波信号を出力させ、それにより前記制御スイッチを制御してオフにすることを特徴とする請求項６に記載の光学パラメータを測定する調整回路。
【請求項８】
光学パラメータを測定する調整回路であって、光感知モジュールと、増幅モジュールと、Ａ／Ｄ変換モジュールと、制御モジュールと、信号生成モジュールと、調節モジュールと、を含み、
前記光感知モジュールは、光信号を検出し、且つ検出した前記光信号を電圧信号に変換することに用いられ、
前記増幅モジュールは、前記電圧信号を増幅することに用いられ、
前記Ａ／Ｄ変換モジュールは、増幅後の前記電圧信号をデジタル信号に変換することに用いられ、
前記制御モジュールは、前記デジタル信号を分析することで、分析結果を生成することに用いられ、
前記信号生成モジュールは、分析結果に基いて、対応する周波数の矩形波信号を出力することに用いられ、
前記調節モジュールは、調節電気抵抗と、調節コンデンサと、制御スイッチと、を含み、前記調節電気抵抗の第１端は接地され、前記調節電気抵抗の第２端は前記増幅モジュールの第２入力端に接続され、前記調節コンデンサの第１端は前記調節電気抵抗の第２端に接続され、前記制御スイッチの第１端は前記調節コンデンサの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続されて、前記周波数の矩形波信号に基いて、前記制御スイッチのオン又はオフを制御することで増幅モジュールの増幅倍率を調整することに用いられることを特徴とする光学パラメータを測定する調整回路。
【請求項９】
前記増幅モジュールの第１入力端は前記光感知モジュールに接続され、
前記調節モジュールの第１端は接地され、前記調節モジュールの第２端は前記増幅モジュールの第２入力端に接続され、
前記Ａ／Ｄ変換モジュールの第１端は前記増幅モジュールの出力端に接続され、且つ前記Ａ／Ｄ変換モジュールの第１端は前記調節モジュールの第３端に更に接続され、
前記制御モジュールは前記Ａ／Ｄ変換モジュールの第２端に接続され、
前記信号生成モジュールの第１端は前記制御モジュールに接続され、前記信号生成モジュールの第２端は前記調節モジュールの第４端に接続されることを特徴とする請求項８に記載の光学パラメータを測定する調整回路。
【請求項１０】
前記信号生成モジュールは対応する周波数の矩形波信号を出力して、前記制御スイッチのオン又はオフを制御し、前記周波数の矩形波信号に基いて調節コンデンサのインピーダンス値を調整し、前記インピーダンス値と、前記調節電気抵抗の値と、に基いて、前記増幅モジュールの増幅倍率を調整することを特徴とする請求項８に記載の光学パラメータを測定する調整回路。
【請求項１１】
光学パラメータを測定する調整回路であって、光感知モジュールと、増幅モジュールと、Ａ／Ｄ変換モジュールと、制御モジュールと、信号生成モジュールと、調節モジュールと、を含み、
前記光感知モジュールは、光信号を検出し、且つ検出した前記光信号を電圧信号に変換することに用いられ、
前記増幅モジュールは、前記電圧信号を増幅することに用いられ、
前記Ａ／Ｄ変換モジュールは、増幅後の前記電圧信号をデジタル信号に変換することに用いられ、
前記制御モジュールは、前記デジタル信号を分析することで、分析結果を生成することに用いられ、
前記信号生成モジュールは、分析結果に基いて、対応する周波数の矩形波信号を出力することに用いられ、
前記調節モジュールは、調節電気抵抗と、調節インダクタと、制御スイッチと、を含み、前記調節電気抵抗の第１端は接地され、前記調節電気抵抗の第２端は増幅器の第２入力端に接続され、前記調節インダクタの第１端は前記調節電気抵抗の第２端に接続され、前記制御スイッチの第１端は前記調節インダクタの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続されて、前記周波数の矩形波信号に基いて、前記制御スイッチのオン又はオフを制御することで増幅モジュールの増幅倍率を調整することに用いられることを特徴とする光学パラメータを測定する調整回路。
【請求項１２】
前記信号生成モジュールは、対応する周波数の矩形波信号を出力して、前記制御スイッチのオン又はオフを制御し、前記周波数の矩形波信号に基いて、前記調節インダクタのインピーダンス値を調整し、前記インピーダンス値と、前記調節電気抵抗の値と、に基いて、前記増幅モジュールの増幅倍率を調整することを特徴とする請求項１１に記載の光学パラメータを測定する調整回路。
【請求項１３】
光学パラメータを測定する調整方法であって、
光信号を検出し、且つ検出した前記光信号を電圧信号に変換するステップと、
前記電圧信号を増幅するステップと、
増幅後の前記電圧信号をデジタル信号に変換するステップと、
前記デジタル信号を分析することで、分析結果を生成するステップと、
分析結果に基いて、対応する周波数の矩形波信号を出力するステップと、
前記周波数の矩形波信号に基いて、増幅モジュールの増幅倍率を調整するステップと、を含み、
前記周波数の矩形波信号に基いて、増幅モジュールの増幅倍率を調整するステップは、
前記周波数の矩形波信号に基いて、制御スイッチのオン又はオフを制御するステップと、
前記周波数の矩形波信号に基いて、調節コンデンサのインピーダンス値を調整するステップと、
前記インピーダンス値と、調節電気抵抗の値と、に基いて、前記増幅モジュールの増幅倍率を調整するステップと、を含むことを特徴とする光学パラメータを測定する調整方法。
【請求項１４】
光学パラメータを測定する調整方法であって、
光信号を検出し、且つ検出した前記光信号を電圧信号に変換するステップと、
前記電圧信号を増幅するステップと、
増幅後の前記電圧信号をデジタル信号に変換するステップと、
前記デジタル信号を分析することで、分析結果を生成するステップと、
分析結果に基いて、対応する周波数の矩形波信号を出力するステップと、
前記周波数の矩形波信号に基いて、増幅モジュールの増幅倍率を調整するステップと、を含み、
前記周波数の矩形波信号に基いて、増幅モジュールの増幅倍率を調整するステップは、
前記周波数の矩形波信号に基いて、制御スイッチのオン又はオフを制御するステップと、
前記周波数の矩形波信号に基いて、調節インダクタのインピーダンス値を調整するステップと、
前記インピーダンス値と、調節電気抵抗の値と、に基いて、前記増幅モジュールの増幅倍率を調整するステップと、を含むことを特徴とする光学パラメータを測定する調整方法。
【請求項１５】
光学測定システムであって、光学パラメータを測定する調整回路を含み、前記調整回路は、光感知モジュールと、増幅モジュールと、Ａ／Ｄ変換モジュールと、制御モジュールと、信号生成モジュールと、調節モジュールと、を含み、
前記光感知モジュールは、光信号を検出し、且つ検出した前記光信号を電圧信号に変換することに用いられ、
前記増幅モジュールは、前記電圧信号を増幅することに用いられ、
前記Ａ／Ｄ変換モジュールは、増幅後の前記電圧信号をデジタル信号に変換することに用いられ、
前記制御モジュールは、前記デジタル信号を分析することで、分析結果を生成することに用いられ、
前記信号生成モジュールは、分析結果に基いて、対応する周波数の矩形波信号を出力することに用いられ、
前記調節モジュールは、前記周波数の矩形波信号に基いて、前記増幅モジュールの増幅倍率を調整することに用いられ、
前記増幅モジュールの第１入力端は前記光感知モジュールに接続され、
前記調節モジュールの第１端は接地され、前記調節モジュールの第２端は前記増幅モジュールの第２入力端に接続され、
前記Ａ／Ｄ変換モジュールの第１端は前記増幅モジュールの出力端に接続され、且つ前記Ａ／Ｄ変換モジュールの第１端は前記調節モジュールの第３端に更に接続され、
前記制御モジュールは前記Ａ／Ｄ変換モジュールの第２端に接続され、
前記信号生成モジュールの第１端は前記制御モジュールに接続され、前記信号生成モジュールの第２端は前記調節モジュールの第４端に接続され、
前記調節モジュールは、調節電気抵抗と、調節コンデンサと、制御スイッチと、を含み、
前記調節電気抵抗の第１端は接地され、前記調節電気抵抗の第２端は前記増幅モジュールの第２入力端に接続され、
前記調節コンデンサの第１端は前記調節電気抵抗の第２端に接続され、
前記制御スイッチの第１端は前記調節コンデンサの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続されることを特徴とする光学測定システム。
【請求項１６】
光学測定システムであって、光学パラメータを測定する調整回路を含み、前記調整回路は、光感知モジュールと、増幅モジュールと、Ａ／Ｄ変換モジュールと、制御モジュールと、信号生成モジュールと、調節モジュールと、を含み、
前記光感知モジュールは、光信号を検出し、且つ検出した前記光信号を電圧信号に変換することに用いられ、
前記増幅モジュールは、前記電圧信号を増幅することに用いられ、
前記Ａ／Ｄ変換モジュールは、増幅後の前記電圧信号をデジタル信号に変換することに用いられ、
前記制御モジュールは、前記デジタル信号を分析することで、分析結果を生成することに用いられ、
前記信号生成モジュールは、分析結果に基いて、対応する周波数の矩形波信号を出力することに用いられ、
前記調節モジュールは、前記周波数の矩形波信号に基いて、前記増幅モジュールの増幅倍率を調整することに用いられ、
前記増幅モジュールの第１入力端は前記光感知モジュールに接続され、
前記調節モジュールの第１端は接地され、前記調節モジュールの第２端は前記増幅モジュールの第２入力端に接続され、
前記Ａ／Ｄ変換モジュールの第１端は前記増幅モジュールの出力端に接続され、且つ前記Ａ／Ｄ変換モジュールの第１端は前記調節モジュールの第３端に更に接続され、
前記制御モジュールは前記Ａ／Ｄ変換モジュールの第２端に接続され、
前記信号生成モジュールの第１端は前記制御モジュールに接続され、前記信号生成モジュールの第２端は前記調節モジュールの第４端に接続され、
前記調節モジュールは、調節電気抵抗と、調節インダクタと、制御スイッチと、を含み、
前記調節電気抵抗の第１端は接地され、前記調節電気抵抗の第２端は増幅器の第２入力端に接続され、
前記調節インダクタの第１端は前記調節電気抵抗の第２端に接続され、
前記制御スイッチの第１端は前記調節インダクタの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続されることを特徴とする光学パラメータを測定する調整回路。
【発明の詳細な説明】
【技術分野】
【０００１】
本発明は、光学パラメータを測定する分野に関し、特に、光学パラメータを測定する調整回路、方法及び光学測定システムに関する。
【背景技術】
【０００２】
光学測定システムは、薄型ディスプレイの分野で広範に使用され、それは主に光学パラメータに対する測定を実現することができ、ここで、最も一般的なものは輝度値の測定である。実用上において、測定する輝度範囲の変化がとても大きいので、単一レンジでは実際要件を満たすことができないため、光学測定システムは複数レンジを有する必要がある。
従来技術において、増幅モジュールの増幅倍率を調整することで複数レンジの測定を実現できる。図１に示すように、光学測定システムは、光感知モジュール１１と、増幅モジュール１２と、Ａ／Ｄ変換モジュール１３と、制御モジュール１４と、調節モジュール１５と、を含む。ここで、前記調節モジュール１５は、１つの第１電気抵抗Ｒ０と、複数の調節電気抵抗Ｒ１・・・・・・ＲＮと、複数のスイッチＫ１・・・・・・ＫＮと、を含む。一つの調節電気抵抗に一つのスイッチが直列接続され、且つ前記調節電気抵抗と調節電気抵抗の間は並列接続される。図１では、スイッチのオン又はオフを手動で制御し、複数のスイッチＫ１・・・・・・ＫＮの切り替えにより増幅倍率の切り替えを実現するが、このような方法では、固定数の測定範囲しか設定できず、測定の連続変化を実現することができない。その他に、範囲の増加に伴って、回路も複雑になり、回路をシンプルにすることが難しくなる。しかも、スイッチのオン又はオフを手動で制御するため、それは自動測定機能を備えていない。
【０００３】
従って、新しい技術的解決手段を提供して、上記の技術的な問題を解決する必要がある。
【発明の概要】
【発明が解決しようとする課題】
【０００４】
本発明の目的は、光学パラメータを測定する調整回路、方法及び光学測定システムを提供して、従来技術において、複数のスイッチの切り替えにより増幅倍率の切り替えを行うが、固定数の測定範囲しか設定できず、測定の連続変化を実現できないということ、しかも範囲の増加に伴って、回路も複雑になり、回路をシンプルにすることが難しくなること、スイッチのオン又はオフを手動で制御するため、自動測定機能を備えていないこと、を解決することである。
【課題を解決するための手段】
【０００５】
上記問題を解決するための、本発明の技術的解決手段は、以下のとおりである。
本発明は、光学パラメータを測定する調整回路を提供し、前記調整回路は、光感知モジュールと、増幅モジュールと、Ａ／Ｄ変換モジュールと、制御モジュールと、信号生成モジュールと、調節モジュールと、を含む。
光感知モジュールは、光信号を検出し、且つ検出した前記光信号を電圧信号に変換し、
増幅モジュールは、前記電圧信号を増幅することに用いられ、
Ａ／Ｄ変換モジュールは、増幅後の前記電圧信号をデジタル信号に変換し、
制御モジュールは、前記デジタル信号を分析することで、分析結果を生成することに用いられ、
信号生成モジュールは、分析結果に基いて、対応する周波数の矩形波信号を出力することに用いられ、
調節モジュールは、前記周波数の矩形波信号に基いて、前記増幅モジュールの増幅倍率を調整することに用いられる。
前記制御モジュールは、前記Ａ／Ｄ変換モジュールが伝送した前記デジタル信号を分析して、現在の増幅倍率が最適な倍率であるか否かを判断し、前記現在の増幅倍率が最適な倍率ではないと判断した場合、前記信号生成モジュールを制御して、対応する周波数の矩形波信号を出力させ、それにより前記調節モジュールを制御して、前記周波数の矩形波信号に基いて前記増幅モジュールの増幅倍率を調整する。増幅モジュールの増幅倍率を調整した後に、前記制御モジュールは、調整後の増幅倍率が最適な倍率である否かを判断し、調整後の増幅倍率が最適な倍率ではないと判断した場合、前記信号生成モジュールを更に制御して、対応する周波数の矩形波信号を出力させ、それにより前記調節モジュールを制御して前記周波数の矩形波信号に基いて前記増幅モジュールの増幅倍率を調整する。前記制御モジュールが現在の増幅倍率が最適な倍率であると判断するまで、上記のステップを繰り返し実行して、出力する。
【０００６】
本発明は、光学パラメータを測定する調整回路を提供し、前記調整回路は、光感知モジュールと、増幅モジュールと、Ａ／Ｄ変換モジュールと、制御モジュールと、信号生成モジュールと、調節モジュールと、を含む。
光感知モジュールは、光信号を検出し、且つ検出した前記光信号を電圧信号に変換し、
増幅モジュールは、前記電圧信号を増幅することに用いられ、
Ａ／Ｄ変換モジュールは、増幅後の前記電圧信号をデジタル信号に変換し、
制御モジュールは、前記デジタル信号を分析することで、分析結果を生成することに用いられ、
信号生成モジュールは、分析結果に基いて、対応する周波数の矩形波信号を出力することに用いられ、
調節モジュールは、前記周波数の矩形波信号に基いて、前記増幅モジュールの増幅倍率を調整することに用いられる。
【０００７】
好ましくは、
前記増幅モジュールの第１入力端は前記光感知モジュールに接続される。
前記調節モジュールの第１端は接地され、前記調節モジュールの第２端は前記増幅モジュールの第２入力端に接続される。
前記Ａ／Ｄ変換モジュールの第１端は前記増幅モジュールの出力端に接続され、且つ前記Ａ／Ｄ変換モジュールの第１端はさらに前記調節モジュールの第３端に接続される。
前記制御モジュールは前記Ａ／Ｄ変換モジュールの第２端に接続される。
前記信号生成モジュールの第１端は前記制御モジュールに接続され、前記信号生成モジュールの第２端は前記調節モジュールの第４端に接続される。
【０００８】
好ましくは、前記調節モジュールは、調節電気抵抗と、調節コンデンサと、制御スイッチと、を含む。
前記調節電気抵抗の第１端は接地され、前記調節電気抵抗の第２端は前記増幅モジュールの第２入力端に接続され、
前記調節コンデンサの第１端は前記調節電気抵抗の第２端に接続され、
前記制御スイッチの第１端は前記調節コンデンサの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続される。
【０００９】
好ましくは、前記調節モジュールは、調節電気抵抗と、調節インダクタと、制御スイッチと、を含む。
前記調節電気抵抗の第１端は接地され、前記調節電気抵抗の第２端は前記増幅モジュールの第２入力端に接続され、
前記調節インダクタの第１端は前記調節電気抵抗の第２端に接続され、
前記制御スイッチの第１端は前記調節インダクタの第２端に接続され、前記制御スイッチの第２端は、それぞれ前記Ａ／Ｄ変換モジュールの第１端と、前記増幅モジュールの出力端と、に接続され、前記制御スイッチの第３端は前記信号生成モジュールの第２端に接続される。
【００１０】
好ましくは、前記信号生成モジュールは対応する周波数の矩形波信号を出力し、前記制御スイッチのオン又はオフを制御する。前記周波数の矩形波信号に基いて、前記調節コンデンサのインピーダンス値を調整する。前記インピーダンス値と、前記調節電気抵抗の値と、に基いて、前記増幅モジュールの増幅倍率を調整する。
【００１１】
好ましくは、前記信号生成モジュールは、対応する周波数の矩形波信号を出力して、前記制御スイッチのオン又はオフを制御する。前記周波数の矩形波信号に基いて、前記調節インダクタのインピーダンス値を調整する。前記インピーダンス値と、前記調節電気抵抗の値と、に基いて、前記増幅モジュールの増幅倍率を調整する。
【００１２】
本発明は、光学パラメータを測定する調整方法を更に提供し、前記調整方法は、
光信号を検出し、且つ検出した前記光信号を電圧信号に変換するステップと、
前記電圧信号を増幅するステップと、
増幅後の前記電圧信号をデジタル信号に変換するステップと、
前記デジタル信号を分析することで、分析結果を生成するステップと、
分析結果に基いて、対応する周波数の矩形波信号を出力するステップと、
前記周波数の矩形波信号に基いて、増幅モジュールの増幅倍率を調整するステップと、を含む。
【００１３】
好ましくは、前記周波数の矩形波信号に基いて、増幅モジュールの増幅倍率を調整するステップは、
前記周波数の矩形波信号に基いて、制御スイッチのオン又はオフを制御するステップと、
前記周波数の矩形波信号に基いて、調節コンデンサのインピーダンス値を調整するステップと、
前記インピーダンス値と、調節電気抵抗の値と、に基いて、前記増幅モジュールの増幅倍率を調整するステップと、を含む。
【００１４】
好ましくは、前記周波数の矩形波信号に基いて、増幅モジュールの増幅倍率を調整するステップは、
前記周波数の矩形波信号に基いて、制御スイッチのオン又はオフを制御するステップと、
前記周波数の矩形波信号に基いて、調節インダクタのインピーダンス値を調整するステップと、
前記インピーダンス値と、調節電気抵抗の値と、に基いて、前記増幅モジュールの増幅倍率を調整するステップと、を含む。
本発明は、上記の光学パラメータを測定する調整回路を含む光学測定システムを更に提供する。
【００１５】
従来技術に対して、本発明は、制御モジュールを介して現在の増幅倍率が最適な倍率であるか否かを判断し、前記現在の増幅倍率が最適な倍率ではないと判断した場合、信号生成モジュールを制御して対応する周波数の矩形波信号を出力させ、それにより前記制御スイッチのオン又はオフを制御する。前記周波数の矩形波信号に基いて、調節コンデンサ又は調節インダクタのインピーダンス値を調整する。前記インピーダンス値と、調節電気抵抗の値と、に基いて、前記増幅モジュールの増幅倍率を最適な倍率に調整する。そのため、本発明はインピーダンス原理を増幅倍率の調整に応用することで、光学測定システムのレンジ又は増幅倍率の連続変化を実現でき、測定精度を高め、従来技術に対して、本発明の回路は更にシンプルであり、それによりコストを節約できる。しかも本発明は自動測定も実現できる。
【００１６】
本発明の上記内容を更に明瞭にするため、以下では、好ましい実施例を特に挙げ、且つ図面を参考にして、詳細な説明を行う。
【図面の簡単な説明】
【００１７】
【図１】図１は、従来技術の提供した光学パラメータを測定する調整回路の構造模式図である。
【図２】図２は、本発明の実施例１の提供した光学パラメータを測定する調整回路の構造模式図である。
【図３】図３は、本発明の実施例２の提供した光学パラメータを測定する調整回路の構造模式図である。
【図４】図４は、本発明の実施例３の提供した光学パラメータを測定する調整回路の構造模式図である。
【図５】図５は、本発明の実施例の提供した光学パラメータを測定する調整方法の実現フローチャートである。
【図６】図６は、本発明の実施例の提供した増幅モジュールの増幅倍率を調整する実現フローチャートである。
【図７】図７は、本発明の他の実施例の提供した増幅モジュールの増幅倍率を調整する実現フローチャートである。
【発明を実施するための形態】
【００１８】
本明細書における用語「実施例」は、実例、例示又は例証として用いられる。その他に、本明細書と、特許請求の範囲と、における冠詞「一」は一般的に「１つ又は複数」を指すものとして解釈できるが、別途に指定されるか又は上下文により明確である場合を除き、単数形式を指向する。
【００１９】
本発明の表示パネルは、例えば、ＴＦＴ−ＬＣＤ（Ｔｈｉｎ  Ｆｉｌｍ  Ｔｒａｎｓｉｓｔｏｒ  Ｌｉｑｕｉｄ  Ｃｒｙｓｔａｌ  Ｄｉｓｐｌａｙ、薄膜トランジスター液晶表示パネル）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ、アクティブマトリックス有機発光ダイオードパネル）などの表示パネルであってもよい。
【００２０】
＜実施例１＞
図２に示すように、本発明の実施例１の提供した光学パラメータを測定する調整回路の構造模式図である。説明の便宜上、本発明の実施例と関連する部分のみを示している。
【００２１】
前記光学パラメータを測定する調整回路は、光感知モジュール１０１と、増幅モジュール１０２と、調節モジュール１０３と、Ａ／Ｄ変換モジュール１０４と、制御モジュール１０５と、信号生成モジュール１０６と、を含む。
前記増幅モジュール１０２の第１入力端は前記光感知モジュール１０１に接続され、
前記調節モジュール１０３の第１端は接地され、前記調節モジュール１０３の第２端は前記増幅モジュール１０２の第２入力端に接続され、
前記Ａ／Ｄ変換モジュール１０４の第１端は前記増幅モジュール１０２の出力端に接続され、且つ前記Ａ／Ｄ変換モジュール１０４の第１端はさらに前記調節モジュール１０３の第３端に接続され、
前記制御モジュール１０５は前記Ａ／Ｄ変換モジュール１０４の第２端に接続され、
前記信号生成モジュール１０６の第１端は前記制御モジュール１０５に接続され、前記信号生成モジュール１０６の第２端は前記調節モジュール１０３の第４端に接続される。
前記光感知モジュール１０１は、検出した光信号を電圧信号に変換し、且つ前記電圧信号を前記増幅モジュール１０２に入力し、前記増幅モジュール１０２は前記電圧信号に対して増幅を行い、且つ増幅後の前記電圧信号を前記Ａ／Ｄ変換モジュール１０４に出力し、前記Ａ／Ｄ変換モジュール１０４は、増幅後の前記電圧信号をデジタル信号に変換し、前記制御モジュール１０５は、前記Ａ／Ｄ変換モジュール１０４が伝送した前記デジタル信号に対して分析を行うことで、分析結果を生成し、且つ分析結果に基いて、前記信号生成モジュール１０６を制御して、対応する周波数の矩形波信号を出力させ、前記調節モジュール１０３は、前記周波数の矩形波信号に基いて前記増幅モジュール１０２の増幅倍率を調整する。
【００２２】
本発明の実施例において、前記制御モジュール１０５は前記Ａ／Ｄ変換モジュール１０４が伝送した前記デジタル信号に対して分析を行い、現在の増幅倍率が最適な倍率であるか否かを判断し、前記現在の増幅倍率が最適な倍率ではないと判断した場合、前記信号生成モジュール１０６を制御して、対応する周波数の矩形波信号を出力させ、それにより前記調節モジュール１０３を制御して、前記周波数の矩形波信号に基いて、前記増幅モジュール１０２の増幅倍率を調整する。増幅モジュール１０２の増幅倍率を調整した後に、前記制御モジュール１０５は、調整後の増幅倍率が最適な倍率であるか否かを更に判断し、調整後の増幅倍率が最適な倍率ではないと判断した場合、前記信号生成モジュール１０６を更に制御して、対応する周波数の矩形波信号を出力させ、それにより前記調節モジュール１０３を制御して、前記周波数の矩形波信号に基いて前記増幅モジュール１０２の増幅倍率を調整する。前記制御モジュール１０５が現在の倍率が最適な倍率であると判断するまで、上記ステップを繰り返し実行して、出力する。
【００２３】
しかし、理解できることは、前記光感知モジュール１０１は光電センサーであってもよい。前記制御モジュール１０５は、ＭＣＵ（Ｍｉｃｒｏ  Ｃｏｎｔｒｏｌ  Ｕｎｉｔ、マイクロ制御ユニット）であってもよい。前記増幅モジュール１０２と、前記調節モジュール１０３と、を増幅器内に配置でき、前記増幅器はオペアンプであってもよい。前記Ａ／Ｄ変換モジュール１０４は、前記Ａ／Ｄ変換器であってもよい。前記Ａ／Ｄ変換モジュール１０４は前記制御モジュール１０５内に集積されてもよい。
【００２４】
上記のように、本実施例の提供した光学パラメータを測定する調整回路は、制御モジュールを介して現在の増幅倍率が最適な倍率であるか否かを判断し、前記現在の増幅倍率が最適な倍率ではないと判断した場合、信号生成モジュールを制御して対応する周波数の矩形波信号を出力させ、それにより前記調節モジュールを制御して、前記増幅モジュールの増幅倍率を最適な倍率に調整する。そのため、本実施例は光学測定システムのレンジ又は増幅倍率の連続変化を実現でき、測定精度を高め、従来技術に対して、本実施例の回路は更にシンプルであり、それによりコストを節約できる。しかも本実施例は自動測定も実現できる。
【００２５】
＜実施例２＞
図３には、本発明の実施例２の提供した光学パラメータを測定する調整回路の構造模式図を示す。説明の便宜上、本発明の実施例に関連する部分のみを示している。
【００２６】
前記光学パラメータを測定する前記調整回路は、光感知モジュール２０１と、増幅モジュール２０２と、調節モジュール２０３と、Ａ／Ｄ変換モジュール２０４と、制御モジュール２０５と、信号生成モジュール２０６と、を含む。
前記増幅モジュール２０２の第１入力端は前記光感知モジュール２０１に接続され、
前記調節モジュール２０３は、調節電気抵抗Ｒｏと、調節コンデンサＣと、制御スイッチＱと、を含む。前記調節電気抵抗Ｒｏの第１端は接地され、前記調節電気抵抗Ｒｏの第２端は前記増幅モジュール２０２の第２入力端に接続される。前記調節コンデンサＣの第１端は前記調節電気抵抗Ｒｏの第２端に接続される。前記制御スイッチＱの第１端は前記調節コンデンサＣの第２端に接続される。且つ前記制御スイッチＱの第２端は前記増幅モジュール２０２の出力端に接続される。
前記Ａ／Ｄ変換モジュール２０４の第１端は前記増幅モジュール２０２の出力端に接続される。且つ前記制御スイッチＱの第２端は前記Ａ／Ｄ変換モジュール２０４の第１端に接続される。
前記制御モジュール２０５は前記Ａ／Ｄ変換モジュール２０４の第２端に接続される。
前記信号生成モジュール２０６の第１端は前記制御モジュール２０５に接続され、前記制御スイッチＱの第３端は前記信号生成モジュール２０６の第２端に接続される。
【００２７】
ここで、前記光感知モジュール２０１は検出した光信号を電圧信号に変換し、且つ前記電圧信号を前記増幅モジュール２０２に入力し、前記増幅モジュール２０２は、前記電圧信号に対して増幅を行い、且つ増幅後の前記電圧信号を前記Ａ／Ｄ変換モジュール２０４に出力し、前記Ａ／Ｄ変換モジュール２０４は、増幅後の前記電圧信号をデジタル信号に変換し、前記制御モジュール２０５は、前記Ａ／Ｄ変換モジュール２０４が伝送した前記デジタル信号に対して分析を行うことで、分析結果を生成し、且つ分析結果に基いて、前記信号生成モジュール２０６を制御して、対応する周波数の矩形波信号を出力させ、それにより前記制御スイッチＱのオン又はオフを制御する。前記周波数の矩形波信号に基いて、前記調節コンデンサＣのインピーダンス値を調整する。前記インピーダンス値と調節電気抵抗の値Ｒｏに基いて、前記増幅モジュール２０２の増幅倍率を調整する。
【００２８】
本発明の実施例において、前記制御モジュール２０５は前記Ａ／Ｄ変換モジュール２０４が伝送した前記デジタル信号に対して分析を行い、現在の増幅倍率が最適な倍率であるか否かを判断し、前記現在の増幅倍率が最適な倍率ではないと判断した場合、前記信号生成モジュール２０６を制御して対応する周波数の矩形波信号を出力させ、それにより前記制御スイッチＱを制御してオンにする。それにより前記周波数の矩形波信号に基いて、前記調節コンデンサＣのインピーダンス値を調整する。前記インピーダンス値と、調節電気抵抗の値Ｒｏと、に基いて、前記増幅モジュール２０２の増幅倍率を調整する。増幅モジュール２０２の増幅倍率を調整した後に、前記制御モジュール２０５は、調整後の増幅倍率が最適な倍率であるか否かを更に判断し、調整後の増幅倍率が最適な倍率ではないと判断した場合、前記信号生成モジュール２０６を更に制御して対応する周波数の矩形波信号を出力させ、それにより前記制御スイッチＱを制御してオンにする。前記周波数の矩形波信号に基いて、前記調節コンデンサＣのインピーダンス値を調整する。前記インピーダンス値と、調節電気抵抗の値Ｒｏと、に基いて、前記増幅モジュール２０２の増幅倍率を調整する。前記制御モジュール１０５が現在の倍率が最適な倍率であると判断するまで、前記ステップを繰り返し実行して、出力し、且つ前記信号生成モジュール２０６を制御して対応する周波数の矩形波信号を出力させ、それにより前記制御スイッチを制御してオフにする。
【００２９】
上記のように、本実施例の提供した光学パラメータを測定する調整回路は、制御モジュール２０５を介して現在の増幅倍率が最適な倍率であるか否かを判断し、前記現在の増幅倍率が最適な倍率ではないと判断した場合、信号生成モジュール２０６を制御して対応する周波数の矩形波信号を出力させ、それにより前記制御スイッチＱを制御してオンにする。前記周波数の矩形波信号に基いて調節コンデンサのインピーダンス値を調整する。前記インピーダンス値と、調節電気抵抗の値と、に基いて、前記増幅モジュール２０２の増幅倍率を最適な倍率に調整する。前記現在の増幅倍率が最適な倍率であると判断した場合、信号生成モジュール２０６を制御して対応する周波数の矩形波信号を出力させ、それにより前記制御スイッチＱを制御してオフにする。そのため、本実施例は容量性リアクタンス原理を増幅倍率の調整に用いて、光学測定システムのレンジ又は増幅倍率の連続変化を実現でき、測定精度を高め、従来技術に対して、本実施例の回路は更にシンプルであり、それによりコストを節約できる。しかも本実施例は、自動測定も実現できる。
【００３０】
＜実施例３＞
図４には、本発明の実施例３の提供した光学パラメータを測定する調整回路の構造模式図を示す。説明の便宜上、本発明の実施例に関連する部分のみを示している。
【００３１】
前記光学パラメータを測定する調整回路であって、光感知モジュール３０１と、増幅モジュール３０２と、調節モジュール３０３と、Ａ／Ｄ変換モジュール３０４と、制御モジュール３０５と、信号生成モジュール３０６と、を含む。
前記増幅モジュール３０２の第１入力端は前記光感知モジュール３０１に接続され、
前記調節モジュール３０３は、調節電気抵抗Ｒ１と、調節インダクタＬと、制御スイッチＱ１と、を含む。前記調節電気抵抗Ｒ１の第１端は接地され、前記調節電気抵抗Ｒ１の第２端は前記増幅モジュール３０２の第２入力端に接続される。前記調節インダクタＬの第１端は前記調節電気抵抗Ｒ１の第２端に接続される。前記制御スイッチＱ１の第１端は前記調節インダクタＬの第２端に接続される。且つ前記制御スイッチＱ１の第２端は前記増幅モジュール３０２の出力端に接続される。
前記Ａ／Ｄ変換モジュール３０４の第１端は前記増幅モジュール３０２の出力端に接続される。且つ前記制御スイッチＱ１の第２端は前記Ａ／Ｄ変換モジュール３０４の第１端に接続される。
前記制御モジュール３０５は前記Ａ／Ｄ変換モジュール３０４の第２端に接続される。
前記信号生成モジュール３０６の第１端は前記制御モジュール３０５に接続され、前記制御スイッチＱ１の第３端は前記信号生成モジュール３０６の第２端に接続される。
【００３２】
ここで、前記光感知モジュール３０１は、検出した光信号を電圧信号に変換し、且つ前記電圧信号を前記増幅モジュール３０２に入力し、前記増幅モジュール３０２は前記電圧信号に対して増幅を行い、且つ増幅後の前記電圧信号を前記Ａ／Ｄ変換モジュール３０４に出力し、前記Ａ／Ｄ変換モジュール３０４は、増幅後の前記電圧信号をデジタル信号に変換し、前記制御モジュール３０５は、前記Ａ／Ｄ変換モジュール３０４が伝送した前記デジタル信号に対して分析を行うことで、分析結果を生成し、且つ分析結果に基いて、前記信号生成モジュール３０６を制御して、対応する周波数の矩形波信号を出力させ、それにより前記制御スイッチＱ１のオン又はオフを制御する。前記周波数の矩形波信号に基いて、前記調節インダクタＬのインピーダンス値を調整する。前記インピーダンス値と、調節電気抵抗の値Ｒ１と、に基いて、前記増幅モジュール３０２の増幅倍率を調整する。
【００３３】
本発明の実施例において、前記制御モジュール３０５は前記Ａ／Ｄ変換モジュール３０４が伝送した前記デジタル信号に対して分析を行い、現在の増幅倍率が最適な倍率であるか否かを判断し、前記現在の増幅倍率が最適な倍率ではないと判断した場合、前記信号生成モジュール３０６を制御して対応する周波数の矩形波信号を出力させ、それにより前記制御スイッチをオンにする。前記周波数の矩形波信号に基いて、前記調節インダクタＬのインピーダンス値を調整する。前記インピーダンス値と、調節電気抵抗の値と、に基いて、前記増幅モジュール３０２の増幅倍率を調整する。増幅モジュール３０２の増幅倍率を調整した後に、前記制御モジュール３０５は、調整後の増幅倍率が最適な倍率であるか否かを更に判断し、調整後の増幅倍率が最適な倍率ではないと判断した場合、前記信号生成モジュール３０６を更に制御して、対応する周波数の矩形波信号を出力させ、それにより前記制御スイッチＱ１を制御してオンにする。前記周波数の矩形波信号に基いて前記調節インダクタＬのインピーダンス値を調整する。前記インピーダンス値と、調節電気抵抗の値Ｒ１と、に基いて、前記増幅モジュール３０２の増幅倍率を調整する。前記制御モジュール３０５が現在の増幅倍率が最適な倍率であると判断するまで、上記ステップを繰り返し実行して、出力し、且つ前記信号生成モジュール３０６を制御して対応する周波数の矩形波信号を出力させ、それにより前記制御スイッチを制御してオフにする。
【００３４】
上記のように、本実施例の提供した光学パラメータを測定する調整回路は、制御モジュール３０５を介して現在の増幅倍率が最適な倍率であるか否かを判断し、前記現在の増幅倍率が最適な倍率ではないと判断した場合、信号生成モジュール３０６を制御して対応する周波数の矩形波信号を出力させ、それにより前記制御スイッチＱ１を制御してオンにする。前記周波数の矩形波信号に基いて前記調節インダクタＬのインピーダンス値を調整する。前記インピーダンス値と、調節電気抵抗の値Ｒ１と、に基いて、前記増幅モジュール３０２の増幅倍率を最適な倍率に調整する。前記現在の増幅倍率が最適な倍率であると判断した場合、信号生成モジュール３０６を制御して対応する周波数の矩形波信号を出力させ、それにより前記制御スイッチＱ１を制御してオフにする。そのため、本実施例はインダクタンス原理を増幅倍率の調整に応用して、光学測定システムのレンジ又は増幅倍率の連続変化を実現でき、測定精度を高め、従来技術に対して、本実施例の回路は更にシンプルであり、それによりコストを節約できる。しかも本実施例は自動測定も実現できる。
【００３５】
図５には、本発明の実施例の提供した光学パラメータを測定する調整方法の実現フローチャートを示す。
【００３６】
前記光学パラメータを測定する調整方法は、以下のステップを含む。
【００３７】
ステップＳ１０１、光信号を検出し、且つ検出した前記光信号を電圧信号に変換する。
【００３８】
ステップＳ１０２、前記電圧信号を増幅する。
【００３９】
ステップＳ１０３、増幅後の前記電圧信号をデジタル信号に変換する。
【００４０】
ステップＳ１０４、前記デジタル信号を分析することで、分析結果を生成する。
本発明の実施例において、制御モジュール（ＭＣＵ）は、前記デジタル信号を分析することに用いられ、且つ前記制御モジュールに、輝度値と、最適な増幅倍率の閾値と、の対応テーブルが記憶されている。前記制御モジュールは前記デジタル信号に対して分析を行い、前記対応テーブルに基いて、現在の輝度の増幅倍率が最適な増幅倍率の閾値に達したか否かを判断し、前記現在の輝度の増幅倍率が最適な増幅倍率の閾値に達していないと判断した場合、対応する周波数の矩形波信号を制御して出力させ、前記周波数の矩形波信号に基いて、前記増幅モジュールの増幅倍率を調整する。増幅モジュールの増幅倍率を調整した後に、前記制御モジュールは、調整後の増幅倍率が最適な増幅倍率の閾値に達したか否かを更に判断し、調整後の増幅倍率が最適な増幅倍率の閾値に達していないと判断した場合、対応する周波数の矩形波信号を更に制御して出力させ、前記周波数の矩形波信号に基いて、前記増幅モジュールの増幅倍率を調整する。前記制御モジュールが現在の増幅倍率が最適な増幅倍率の閾値に達したと判断するまで、上記ステップを繰り返し実行して、出力する。
【００４１】
ステップＳ１０５において、分析結果に基いて、対応する周波数の矩形波信号を出力する。
【００４２】
ステップＳ１０６において、前記周波数の矩形波信号に基いて、増幅モジュールの増幅倍率を調整する。
【００４３】
図６に示すように、本発明の実施例として、ステップＳ１０６は、以下のステップを含む。
ステップＳ１０６１、前記周波数の矩形波信号に基いて、制御スイッチのオン又はオフを制御する。
ステップＳ１０６２、前記周波数の矩形波信号に基いて調節コンデンサのインピーダンス値を調整する。
本発明の実施例において、前記調節コンデンサのインピーダンス値を調整する計算式は、以下のとおりである。
ＸＣ＝１／（２πｆＣ）
ここで、ＸＣは調節コンデンサのインピーダンス値で、単位はオームであり、ｆは矩形波信号の周波数の値で、単位はヘルツであり、Ｃは容量値で、単位はファラッドである。
ステップＳ１０６３、前記インピーダンス値と、調節電気抵抗の値と、に基いて、前記増幅モジュールの増幅倍率を調整する。
【００４４】
本発明の実施例において、前記増幅倍率の計算式は、
Ａ＝１＋Ｘｃ／Ｒ０
であり、ここで、前記Ａは増幅倍率であり、ＸＣは調節コンデンサのインピーダンス値で、単位はオームであり、Ｒ０は調節電気抵抗の電気抵抗値で、単位はオームである。
図７に示すように、本発明の他の実施例として、ステップＳ１０６は、ステップＳ６１と、ステップＳ６２と、ステップＳ６３を含む。
ステップＳ６１において、前記周波数の矩形波信号に基いて、制御スイッチのオン又はオフを制御する。
ステップＳ６２において、前記周波数の矩形波信号に基いて、調節インダクタのインピーダンス値を調整する。
本発明の実施例において、前記調節インダクタのインピーダンス値を調整する計算式は、
ＸＬ＝２πｆＬ
であり、ここで、ＸＬは調節インダクタのインピーダンス値で、単位はオームであり、ｆは矩形波信号の周波数の値で、単位はヘルツであり、Ｌは調節インダクタのインダクタンス値で、単位はヘンリーである。
ステップＳ６３において、前記インピーダンス値と、調節電気抵抗の値と、に基いて、前記増幅モジュールの増幅倍率を調整する。
【００４５】
本発明の実施例において、前記増幅倍率の計算式は、
Ａ＝１＋ＸＬ／Ｒ１
であり、ここで、前記Ａは増幅倍率であり、ＸＬは調節インダクタのインピーダンス値で、単位はオームであり、Ｒ１は調節電気抵抗の電気抵抗値で、単位はオームである。
【００４６】
上記のように、本実施例の提供した光学パラメータを測定する調整方法は、現在の増幅倍率が最適な倍率であるか否かを判断することで、前記現在の増幅倍率が最適な増幅倍率ではないと判断した場合、対応する周波数の矩形波信号を制御して出力させ、それにより前記増幅モジュールの増幅倍率を最適な倍率に調整する。そのため、本実施例は光学測定システムのレンジ又は増幅倍率の連続変化を実現でき、異なる輝度環境に対する自己適応調整を行い、測定精度を高め、従来技術に対して、本実施例は自動測定を実現できる。
【００４７】
本発明の実施例は、光学測定システムを更に提供し、前記光学測定システムは、前記光学パラメータを測定する調整回路を含み、上記において光学パラメータを測定する調整回路の構造に対して詳細な説明を行ったので、ここでは説明を省略する。
【００４８】
上記のように、本実施例の提供した光学パラメータを測定する調整回路、方法及び光学測定システムは、制御モジュールを介して現在の増幅倍率が最適な倍率であるか否かを判断し、前記現在の増幅倍率が最適な倍率ではないと判断した場合、信号生成モジュールを制御して対応する周波数の矩形波信号を出力させ、それにより前記制御スイッチのオン又はオフを制御する。前記周波数の矩形波信号に基いて、調節コンデンサ又は調節インダクタのインピーダンス値を調整する。前記インピーダンス値と、調節電気抵抗の値と、に基いて、前記増幅モジュールの増幅倍率を最適な倍率に調整する。そのため、本発明はインピーダンス原理を増幅倍率の調整に応用して、光学測定システムのレンジ又は増幅倍率の連続変化を実現でき、測定精度を高め、従来技術に対して、本発明の回路は更にシンプルであり、それによりコストを節約できる。しかも本発明は自動測定も実現できる。
【００４９】
既に、１つ又は複数の実施形態により、本発明を示し且つ説明したが、当業者は本明細書と、図面と、に対する閲覧及び理解により、等価変形及び改変を思い付くことができる。本発明はこのようなすべての改変と、変形と、を含み、且つ特許請求の範囲のみに制限される。特に、上記のモジュールが実行する各種機能に関して、このようなモジュールの説明に用いられている用語は、前記モジュールの指定機能（例えば、機能上で等価である）を実行する任意のモジュール（他の指示がある場合を除き）に対応することを意図しており、構造上で、本明細に示した例示性の実施形態における機能の開示構造と異なっても同様である。その他に、本明細書の特定の特徴は、既に、いくつかの実現形態における１つのみに対応して、開示されているが、このような特徴は、例えば、所定又は特定の応用にとって所望及び有利であるその他の実現形態の１つ又は複数の他の特徴の組み合わせであってもよい。そして、用語「包括する」、「備える」、「含有する」又はその変形が具体的な実施形態又は請求項に使用されているが、これらの用語は、用語「含む」と類似する形態で包括することを意図する。
【００５０】
上記のように、本発明は、既に好ましい実施例により上記のように開示されているが、上記の好ましい実施例は本発明を制限するものではなく、当業者は、本発明の精神及び範囲内で、何れも各種の変更と潤飾を行うことができるため、本発明の保護範囲は、特許請求の範囲を基準とする。
【図１】
0006513190.tif 000002
【図２】
0006513190.tif 000003
【図３】
0006513190.tif 000004
【図４】
0006513190.tif 000005
【図５】
0006513190.tif 000006
【図６】
0006513190.tif 000007
【図７】
0006513190.tif 000008